(57)【要約】【課題】小型化を図りつつ、セルなどの積層部品を簡便にセットすることができる電気化学セル評価用ホルダを提供すること。【解決手段】収容部５内に燃料極側プレート２を収容し、その状態でセル部４の各部品を積層した状態で空気極側プレート３を突き合わせた状態でセル部４を挟持させる。次に、各プレート２、３間で挟持部品４を挟持した状態で、空気極側プレート３の位置決め溝３ａに弾性部材６を嵌入し、この状態で収容凹部５ａの開口部分を蓋部材７で閉塞した後、蓋部材７のネジ挿通孔７ａから挿入した固定部材８で締結固定して組み立てる。【選択図】図１
2019012647.tif 000002
【特許請求の範囲】
【請求項１】
セル、集電体及びシール部材を含むセル部を、燃料極側プレート及び空気極側プレートを突き合わせた状態で挟持したセルホルダと、
前記セルホルダを収容する収容凹部が形成された収容部と、
前記セルホルダの上面に載置されるセラミック製の弾性部材と、
前記弾性部材を介在させた状態で前記収容部を閉塞する蓋部材と、
前記蓋部材と前記収容部とを締結固定する固定部材と、
を備えたことを特徴とする電気化学セル評価用ホルダ。
【請求項２】
前記弾性部材は、前記セルホルダの略中央部分に配置されることを特徴とする請求項１記載の電気化学セル評価用ホルダ。
【発明の詳細な説明】
【技術分野】
【０００１】
本発明は、板状のセルを用いた固体酸化物形燃料電池（Solid Oxide Fuel Cell ：ＳＯＦＣ）の性能特性を評価するための電気化学セル評価用ホルダに関するものである。
【背景技術】
【０００２】
近年、エネルギー変換効率の高い固体酸化物形燃料電池（以下、ＳＯＦＣと称する）が次世代のエネルギー供給システムとして注目を集めている。ＳＯＦＣは、電解質膜にイオン伝導性固体電解質を使用し、その電解質膜の一方の面に多孔質焼結体からなる燃料極（アノード）を、他方の面に空気極（カソード）を接合して構成される。ＳＯＦＣでは、燃料極に燃料（水素）を供給し、空気極に空気（酸素）を供給し、電気化学反応によって電気エネルギーを取り出している。
【０００３】
この種のＳＯＦＣの研究開発に伴い、燃料電池の性能を評価するための評価装置として電気化学セル評価用ホルダ（以下、単に「セル評価ホルダ」ともいう）、耐熱性や加工性に優れ、製造コストが安価なステンレスなどの金属が装置筐体の材料として用いられている。
【０００４】
しかしながら、ＳＯＦＣの作動温度は８００℃前後と高温となるため、筐体材料である金属中の成分（例えば、Ｃｒ）が蒸発して酸化した酸化物（例えば、Ｃｒ2 Ｏ3 ）がセル表面に付着して汚染され、ＳＯＦＣの評価試験に悪影響を及ぼす虞があった。
【０００５】
そこで、出願人は、上述した問題を解決するため、下記特許文献１に開示される電気化学セル評価用ホルダを開発した。
【０００６】
特許文献１に開示されるセル評価ホルダでは、挟持部品である燃料ガス拡散板、燃料極用集電体、セル部、一対のセラミックス製のガスケット、空気極用集電体、空気ガス拡散板を積層し、燃料極側収容凹部と空気極側収容凹部とが対向するようにアルミナ製の燃料極側プレート及び空気極側プレートとを突き合わせた状態で挟持させる。そして、各筐体間で挟持部品を挟持した状態で、空気極側挿通孔にセラミックバネを挿入し、燃料極側挿通孔から挿入したボルトをナットで締結固定して組み立てる。これにより、性能評価時におけるセルへの悪影響が無く、且つ装置の小型化による電気炉への設置容易性と組立容易性の向上を実現している。
【先行技術文献】
【特許文献】
【０００７】
【特許文献１】特許第５７８９４９０号
【発明の概要】
【発明が解決しようとする課題】
【０００８】
特許文献１に開示される評価ホルダは、φ１５ｍｍ〜φ３０ｍｍの円形状のボタン型セルから、１辺が３０ｍｍ〜１０ｃｍ程度の矩形状の平板型セルなど幅広く使用することができる。しかしながら、特許文献１の評価ホルダは、セルサイズとして５ｃｍ程度の平板型セルの測定が基準となるように設計されているため、筐体サイズもそれなりに大きく、質量も２〜５キロ程度に達する。そのため、平板型セルよりも小さく薄いボタン型セルを設置する場合、筐体自体の重さに加えて設置する際のセラミックバネの押圧力も加わるため、セルが割れないように荷重を掛けるのが非常に難しい。
【０００９】
仮に、特許文献１の評価ホルダをボタン型セルのサイズに合わせて小型化させた場合、筐体がフリーの状態でセルの挟持位置がズレないように位置決めしながら組み立てるのが困難となる。また、評価用ホルダが小型化すると、挟持時に適切な付勢力が付与可能なセラミックバネも筐体サイズに合わせたサイズで作製する必要があるが、このバネの小型化が技術的に非常に困難であり、製造コストが大幅に嵩んでしまうという問題がある。
【００１０】
さらに、大学などの研究室では、電気化学セルの試験に際し、評価用ホルダを加熱する電気炉の他、種々の実験器具が設置されており、実験スペースが限られているところが多い。そのため、実験スペースを有効活用するためには、電気炉などの小型化に伴い、評価用ホルダの更なる小型化が必要となる。
【００１１】
以上のことから、ホルダの筐体サイズを小型セルに適したサイズにしつつ、組み立て性にも優れた新規の評価用ホルダの開発が望まれている。
【００１２】
そこで、本発明は上記問題点に鑑みてなされたものであって、装置の小型化を図りつつ、セルなどの積層部品を簡便にセットすることができる電気化学セル評価用ホルダを提供することを目的としている。
【課題を解決するための手段】
【００１３】
上記目的を達成するため、本発明に係る第１の態様は、セル、集電体及びシール部材を含むセル部と、
アルミナ製の燃料極側プレート及び空気極側プレートを突き合わせた状態で前記セル部を挟持したセルホルダを備える電気化学セル評価用ホルダにおいて、
前記セルホルダを収容する収容凹部が形成されたアルミナ製の収容部と、
前記セルホルダの上面に載置されるセラミック製の弾性部材と、
前記弾性部材を介在させた状態で前記収容部を閉塞するアルミナ製の蓋部材と、
前記蓋部材と前記収容部とを締結固定するセラミック製の固定部材と、
を備えたことを特徴とする、電気化学セル評価用ホルダである。
【００１４】
本発明の第２の態様は、第１の態様に係る電気化学セル評価用ホルダにおいて、前記弾性部材は、前記セルホルダの略中央部分に配置されることを特徴とする、電気化学セル評価用ホルダである。
【発明の効果】
【００１５】
本発明によれば、組み立ての際に、収容部に燃料極側プレートや空気極側プレートを収容し、該プレートが支持された状態でセル部を積層させることができるので、ボタン型セルのような薄厚小型セルであっても、位置ずれすることなく容易に組み立て作業を行うことができる。また、弾性部材をセルホルダの略中央部分に配置することで、従来品のように複数本のバネに対する荷重調整をする手間が省け、簡便に適切な荷重を加えることができる。
【図面の簡単な説明】
【００１６】
【図１】本発明に係る電気化学セル評価用ホルダの概略構成を示す分解斜視図である。
【図２】同評価用ホルダの概略断面図である。
【図３】（ａ）〜（ｄ）は同評価用ホルダの組み立て工程手順を示す概念図である。
【発明を実施するための形態】
【００１７】
以下、本発明を実施するための形態について、添付した図面を参照しながら詳細に説明する。
【００１８】
なお、本明細書に添付する図面は、図示と理解のしやすさの便宜上、適宜縮尺、縦横の寸法比、形状などについて、実物から変更し模式的に表現される場合があるが、あくまで一例であって、本発明の解釈を限定するものではない。従って、添付した図面を用いて説明する実施の形態により、本発明が限定されず、この形態に基づいて当業者などにより考え得る実施可能な他の形態、実施例及び運用技術などは全て本発明の範疇に含まれるものとする。
【００１９】
また、本明細書において、添付する各図を参照した以下の説明において、方向乃至位置を示すために上、下、左、右の語を使用した場合、これはユーザが各図を図示の通りに見た場合の上、下、左、右に一致する。
【００２０】
まず、本発明の電気化学セル評価用ホルダ１の構成について説明する。
以下の実施形態では、図中におけるセル裏面側を燃料極、セル表面側を空気極としたセル４ａを用い、各図ではセル４ａの電極位置に合わせてセル部４を含む各部品を配置した状態を示している。なお、セル４ａの表裏面を逆転させた場合は、各部品の配置が逆になることは言及するまでもない。
【００２１】
図１や図２に示すように、電気化学セル評価用ホルダ（以下、評価用ホルダともいう）１は、燃料極側プレート２（図中下方）と空気極側プレート３（図中上方）との間に被挟持部材となるセル部４が挟持される。また、燃料極側プレート２と空気極側プレート３は、セル部４を挟持した状態で収容部５に収容され、この状態で空気極側プレート３の表面に弾性部材６を介在させ、さらに収容部５の上面に蓋部材７を載置して固定部材８により締結固定する構成を基本構造としている。
【００２２】
燃料極側プレート２は、評価試験時の高温に耐え、且つセル部４の汚染を防止する効果を備えたアルミナで形成されている。また、燃料極側プレート２の表面（つまり、セル部４と対向する面と反対側の面）には、弾性部材６を設置する際の位置決めを容易にする位置決め溝２ａが形成されている。
【００２３】
さらに、図１や図２に示すように、燃料極側プレート２の一側面（図中では右側面）には、燃料ガス導入管９と燃料ガス排出管１０とが並設されている。
【００２４】
燃料ガス導入管９は、その一端が燃料極側プレート２と接合され、他端には燃料極側プレート２に形成されるガス流路を介して燃料ガスをセル部４に供給する燃料ガス導入口が形成されている。また、燃料ガス排出管１０は、その一端が燃料極側プレート２と接合され、他端にはセル部４に供給された未反応の燃料ガスを燃料極側プレート２内のガス流路を介して排出する燃料ガス排出口が形成されている。
【００２５】
空気極側プレート３は、燃料極側プレート２と同様に、評価試験時の高温に耐え、且つセル部４の汚染を防止する効果を備えたアルミナで形成され、燃料極側プレート２と略同一形状を成している。また、空気極側プレート３の表面（つまり、セル部４と対向する面と反対側の面）には、弾性部材６を設置する際の位置決めを容易にする位置決め溝３ａが形成されている。
【００２６】
さらに、図１や図２に示すように、空気極側プレート３の一側面（図中では右側面）には、空気ガス導入管１１と空気ガス排出管１２とが並設されている。
【００２７】
空気ガス導入管１１の一端は空気極側プレート３と接合され、他端には空気極側プレート３に形成された不図示のガス流路を介して空気ガスをセル部４に供給する空気ガス導入口が形成されている。また、空気ガス排出管１２の一端には、セル部４に供給された未反応の空気ガスを空気極側プレート３のガス流路を介して排出する空気ガス排出口が形成されている。
【００２８】
セル部４は、燃料極側プレート２や空気極側プレート３との間に挟持される被挟持部材であり、セル４ａと、燃料極用集電体４ｂと、空気極用集電体４ｃ、一対のシール部材４ｄ、４ｅで構成されている。セル４ａのサイズとしては、例えばボタン型セルのようなφ１５ｍｍ〜φ３０ｍｍ程度となる。
【００２９】
図１に示すように、セル部４は、燃料極側プレート２を下方、空気極側プレート３を上方として配置した場合に、シール部材４ｄ、燃料極用集電体４ｂ、セル４ａ、空気極用集電体４ｃ、シール部材４ｅの順に積層され、各プレート２、３の略中央部分に配置された状態で挟持される。その際、図２に示すように、一方のシール部材４ｄは、セル部４の燃料極側の外周縁部と燃料極側プレート２との間に介在され、他方のシール部材４ｅは、セル部４の空気極側の外周縁部と空気極側プレート３との間に介在される。
【００３０】
セル４ａは、例えばＹＳＺ／Ｎｉサーメットなどの燃料極と、例えば（Ｌａ，Ｓｒ）ＭｎＯ3 などの空気極との間に、例えばＹＳＺ（イットリア安定化ジルコニア）やＳｃＳＺ（スカンジア安定化ジルコニア）などの電解質を一体化して構成される。
【００３１】
燃料極用集電体４ｂは、還元雰囲気で安定であるＮｉ網などで構成される。また、空気極用集電体４ｃは、高温で酸化しにくい貴金属である例えば金（Ａｕ）や白金（Ｐｔ）製の網などで構成される。
【００３２】
一対のシール部材４ｄ、４ｅは、ガス漏洩防止用としてセル部４の外周縁部を挟んで対向配置される弾力性を有するセラミックス（例えば、バーミキュライト、マイカ、アルミナファイバーなど）からなる。
【００３３】
本発明の評価用ホルダ１では、燃料極側プレート２、空気極側プレート３及びセル部４によりセルホルダ２０が構成され、このセルホルダ２０が収容部５に収容されることになる。
【００３４】
収容部５は、燃料極側プレート２や空気極側プレート３が収容可能なように収容凹部５ａを有する略直方体形状の筐体である。収容部５は、燃料極側プレート２や空気極側プレート３と同様、評価試験時の高温に耐え、且つセル部４の汚染を防止する効果を備えたアルミナで形成されている。
【００３５】
収容凹部５ａの内寸は、セルホルダ２０の外寸よりも１〜２ｍｍ程度大きく成形される。このように、収容凹部５ａとセルホルダ２０との間に若干の空隙を設けることで、セルホルダ２０の着脱性を確保しつつ、装着後はセルホルダ２０が収容凹部５ａ内で移動せずに収容することができる。
【００３６】
また、収容部５は、燃料極側プレート２や空気極側プレート３を収容した状態で各プレート２、３に設けられた導入管９、１１や排出管１０、１２を外部に引き出すため、外周４方向にある周壁のうちの１つに、収容凹部５ａと連通する切欠部５ｃが形成されている。よって、収容部５を水平方向で切断したときの断面形状は略コ字状となる。
【００３７】
図１に示すように、収容部５には、固定部材８による締結固定を行うための複数のネジ挿通孔５ｂが形成されている。図１の例では、収容部５の上端面における４隅にそれぞれ形成され、その内表面に固定部材８の雄ねじと対応する雌ねじが形成されている。
【００３８】
弾性部材６は、セル部４の性能評価試験中の雰囲気温度による熱膨張などの影響を吸収ようにするため、セラミック製（例えば窒化珪素）のバネで構成される。弾性部材６は、燃料極側プレート２の位置決め溝２ａ又は空気極側プレート３に形成された位置決め溝３ａに嵌入して設置され、蓋部材７で収容凹部５ａの開口部分を閉塞したときに押し込まれることで弾性的に付勢してセルホルダ２０に荷重を加える。
【００３９】
蓋部材７は、燃料極側プレート２、空気極側プレート３及び収容部５と同様、評価試験時の高温に耐え、且つセル部４の汚染を防止する効果を備えたアルミナで形成され、外寸が収容部５と略同一となっている。図１に示すように、蓋部材７の４隅には、固定部材８を挿通するためのネジ挿通孔７ａが形成されている。このネジ挿通孔７ａは、蓋部材７で収容凹部５ａの開口部分を閉塞したときに、対向するネジ挿通孔５ｂと一直線上に重なる位置に形成される。
【００４０】
また、蓋部材７の裏面（すなわち、収容部５と対向する側の面）には、固定部材８により収容凹部５ａの開口部分を閉塞したときに、燃料極側プレート２の位置決め溝２ａ又は空気極側プレート３に形成された位置決め溝３ａと直線上で重なる位置に位置決め溝７ｂが形成されている。弾性部材６は、この位置決め溝７ｂと、対向する位置決め溝２ａ又は３ａとの間に嵌合される。
【００４１】
固定部材８は、セラミック製のボルトで構成され、軸部の外周面にはネジ挿通孔５ｂの雌ねじと対応する雄ねじが形成されている。図２に示すように、評価用ホルダ１は、収容部５内で燃料極側プレート２と空気極側プレート３とを突き合わせた状態でセル部４を挟持させ、次に弾性部材６を介在させたまま蓋部材７により収容凹部５ａの開口部分を閉塞し、ネジ挿通孔７ａ側から固定部材８を挿通して締結固定している。
【００４２】
また、燃料ガス導入管９及び空気ガス導入管１１のガス導入口には、セル部４で発電した電流を燃料極用集電体４ｂ又は空気極用集電体４ｃから取り出す電流取出用リード線と、セル部４の各電極の電圧測定を行う電圧測定用リード線と、セル部４近傍の温度測定を行う温度センサとを導入するための気密端子（図示略）がそれぞれ設置される。この気密端子としは、例えば特開２０１６−４６０４０号公報に開示されるようなハーメチック端子の他、引き出された配線の接続先に応じて適宜選択し取り付けることができる。
【００４３】
次に、図３を参照しながら、上記のように構成される評価用ホルダ１の組み立て手順について説明する。なお、図面が煩雑とならないよう、図中の符号は一部省略している。
【００４４】
図３（ａ）に示すように、まず収容部５の収容凹部５ａに燃料極側プレート２を収容する。次に、図３（ｂ）に示すように、燃料極側プレート２の略中央部分にセル部４を構成する一方のシール部材４ｄ、燃料極用集電体４ｂ、セル４ａ、空気極用集電体４ｃ、他方のシール部材４ｅを積層する。次に、図３（ｃ）に示すように、空気極側プレート３を燃料極側プレート２と対向するように突き合わせ、さらに空気極側プレート３の位置決め溝３ａに位置合わせしながら弾性部材６を設置する。
【００４５】
図３（ｄ）に示すように、燃料極側プレート２と空気極側プレート３との間にセル部４を挟持させる。次に、空気極側プレート３の位置決め溝３ａに弾性部材６を嵌入するとともに、蓋部材７の位置決め溝７ｂに嵌入し、蓋部材７で収容凹部５ａの開口部分を閉塞する。その後、ネジ挿通孔７ａから固定部材８を挿入して締め付け、燃料極側プレート２と空気極側プレート３とを収容部５内で固定する。これにより、評価用ホルダ１の組み立て作業が終了する。
【００４６】
組み立てられた評価用ホルダ１は、このまま電気炉に挿入され、所望の評価試験が実施される。
【００４７】
以上のように、上述した形態の評価用ホルダ１は、収容部５内に燃料極側プレート２を収容し、その状態でセル部４の各部品を積層した状態で空気極側プレート３を突き合わせた状態でセル部４を挟持させる。次に、各プレート２、３間でセル部４を挟持した状態で、空気極側プレート３の位置決め溝３ａに弾性部材６を嵌入し、この状態で収容凹部５ａの開口部分を蓋部材７で閉塞する。その後、蓋部材７のネジ挿通孔７ａから挿入した固定部材８で締結固定して組み立てる。
【００４８】
これにより、セル４ａがボタン型セルのような小型セルであっても、燃料極側プレート２又は空気極側プレート３が収容部５に収容された状態で組み立てが行えるため、組み立ての際にセル部４を構成する各部品が位置ずれすることなく組み立て作業をスムーズに行うことができる。
【００４９】
また、弾性部材６をセルホルダ２０の略中央部分に配置することで、組み立て時に細かな荷重調整を必要とせず、セル部４に対して均等に荷重を加えることができる。つまり、従来品では、４隅にあるセラミックバネの弾性的な付勢力が均等になるように荷重調整する必要があり、特にボタン型セルのような小型のセルでは荷重調整が非常に難しかったが、本発明を適用することで、単純に付勢力が調整された弾性部材６を介在させるだけで荷重調整などを行わずに適切な荷重を加えることができる。
【００５０】
ところで、本発明は上述した実施形態に限定されるものではなく、例えば以下に示すように使用環境等に応じて適宜変更して実施することもできる。また、以下の変更例は、本発明の要旨を逸脱しない範囲の中で任意に組み合わせて実施することもできる。
【００５１】
弾性部材６の設置位置として、本実施形態のようにセル部４に対して均等に荷重を加えるために燃料極側プレート２又は空気極側プレート３の略中央部分に配置したが、これに限定されることはない。
【００５２】
弾性部材６の他の配置例としては、３点配置や４点配置のように設置対象となるプレートの表面において各弾性部材６が等距離で配置され、セル部４に対して均等な押圧力が付与される配置とすればよい。当然のことながら、弾性部材６が複数になれば、それに対応して燃料極側プレート２、空気極側プレート３及び蓋部材７に形成される位置決め溝２ａ、３ａ、７ａの数や配置位置も弾性部材６に合わせて適宜変更されることになる。
【符号の説明】
【００５３】
１…電気化学セル評価用ホルダ（評価用ホルダ）
２…燃料極側プレート
３…空気極側プレート
４…セル部
５…収容部
６…弾性部材
７…蓋部材
８…固定部材
２０…セルホルダ
【図１】
2019012647.tif 000003
【図２】
2019012647.tif 000004
【図３】
2019012647.tif 000005